【手続補正書】
【提出日】平成27年6月17日(2015.6.17)
【手続補正１】
【補正対象書類名】特許請求の範囲
【補正対象項目名】全文
【補正方法】変更
【補正の内容】
【特許請求の範囲】
【請求項１】
２相変調信号のプリアンブルを検出するための方法であって、
２相変調信号の連続したディジタルサンプルを生成するために前記２相変調信号をサンプリングレートでサンプリングすることと、
前記連続的なディジタルサンプルの各々を有限インパルス応答（ＦＩＲ）フィルタに反復的にシフトすることであって、当該フィルタが、前記２相変調信号の前記プリアンブルの少なくとも１つの期間に関連する値を含むタップ重みを有するフィルタタップを含む、前記シフトすることと、
前記フィルタタップのそれぞれの適切なサブセットに関連して前記ＦＩＲフィルタに反復的にシフトされた前記ディジタルサンプルの適切なサブセットを各反復で数学的に評価することに基づき、前記ＦＩＲフィルタから出力を生成することと、
前記ＦＩＲフィルタからの前記出力を閾値と比較することと、
前記ＦＩＲフィルタからの前記出力が前記閾値よりも大きいことに応答して前記２相変調信号のデコードのために前記２相変調信号の前記プリアンブルを検出することと、
を含む、方法。
【請求項２】
請求項１に記載の方法であって、
前記出力を生成することが、
前記ＦＩＲフィルタにシフトされた新たなディジタルサンプルと、前記ＦＩＲフィルタからシフトされたディジタルサンプルと、それぞれのフィルタタップに関連する前記２相変調信号の前記プリアンブルの論理遷移に関連するそれぞれのフィルタタップにシフトされるディジタルサンプルとを評価することと、
前記評価の和を、前記ＦＩＲフィルタの前記出力の直前の値に加えることと、
を含む、方法。
【請求項３】
請求項１に記載の方法であって、
前記連続的なディジタルサンプルの各々を反復的にシフトすることが、前記連続的なディジタルサンプルの各々を第１のＦＩＲフィルタに反復的にシフトすることを含み、前記ＦＩＲフィルタから前記出力を生成することが前記第１のＦＩＲフィルタから前記出力を生成することを含み、
前記方法が、前記２相変調信号に関連するノイズを実質的に補償する第２の出力を生成するために各反復で前記第１のＦＩＲフィルタの前記出力を第２のＦＩＲフィルタにシフトすることを更に含み、
前記ＦＩＲフィルタからの前記出力を比較することが、前記第２のＦＩＲフィルタからの前記出力を前記閾値と比較することを含む、方法。
【請求項４】
請求項３に記載の方法であって、
前記第１のＦＩＲフィルタの前記出力を前記第２のＦＩＲフィルタにシフトすることが、前記第１のＦＩＲフィルタの前記出力を、交互の論理遷移の各々でタップに関連する非ゼロ値と、残りのタップに関連するゼロ値とを有する１つのセットのタップ重みを含む前記第２のＦＩＲフィルタにシフトすることを含む、方法。
【請求項５】
請求項１に記載の方法であって、
前記２相変調信号の前記プリアンブルを検出することが、前記ＦＩＲフィルタからのピーク最大出力の１つが前記閾値よりも大きいことに応答して、前記２相変調信号の前記プリアンブルの前記フィルタタップとの整合を判定することを含み、
前記方法が、
前記２相通信レシーバシステムと関連するトランスミッタとの間のクロック周波数ミスマッチを検出するために複数の連続的なピーク最大出力の各々の間のディジタルサンプルをカウントすることと、
検出されたミスマッチの大きさを示す信号を生成することと、
前記関連するトランスミッタのクロック周波数に収束するように前記サンプリングレートを調節することと、
を更に含む、方法。
【請求項６】
請求項１に記載の方法であって、
前記２相変調信号をサンプリングすることが、第１の連続的なディジタルサンプルと第２の連続的なディジタルサンプルとを生成するために前記サンプリングレートで第１の２相変調チャンネルと第２の２相変調チャンネルとをサンプリングすることを含み、前記連続的なディジタルサンプルの各々を反復的にシフトすることが、前記第１の連続的なディジタルサンプルの各々を、第１のＦＩＲフィルタと第２のＦＩＲフィルタとに反復的にシフトすることを含み、
前記方法が、
前記第１のＦＩＲフィルタの出力を前記第２のＦＩＲフィルタの出力と比較することと、
前記第１及び第２の２相変調チャンネルの相対的な信号振幅に基づいて前記２相信号デコーダによってデコードするために前記第１及び第２の２相変調チャンネルの一方を選択することと、
前記選択に応答して前記第１及び第２の２相変調チャンネルの他方を放棄することと、
を更に含む、方法。
【請求項７】
２相通信レシーバシステムであって、
２相変調信号のディジタルサンプルを生成するために前記２相変調信号をサンプルするように構成されるアナログ・ディジタルコンバータ（ＡＤＣ）と、
前記ディジタルサンプルに基づいて前記２相変調信号をデコードするように構成される２相信号デコーダと、
出力を生成するために前記ディジタルサンプルを評価するように、かつ、前記出力に基づいて前記２相変調信号をデコードするために前記２相変調信号のプリアンブルを検出するように構成されるディジタルフィルタを含むプリアンブル検出器であって、前記ディジタルフィルタが、前記２相変調信号の前記プリアンブルの少なくとも１つの期間に関連する値を含む１つのセットのタップ重みを有する有限インパルス応答（ＦＩＲ）フィルタとして構成され、タップ重みの前記セットが、複数の正の第１の値と複数の負の第２の値との交互のパターンで配され、前記第１及び第２の値の各々が、前記ＦＩＲフィルタに増加的にシフトされる前記ディジタルサンプルのうちのそれぞれ１つに対応する、前記プリアンブル検出器と、
を含む、２相通信レシーバシステム。
【請求項８】
請求項７に記載のシステムであって、
前記ＦＩＲフィルタが、前記出力を生成するように前記ディジタルサンプルを評価するように構成され、
前記出力を生成することが、各反復で、前記出力の直前に値に対して、
前記ＦＩＲフィルタにシフトされる新たなディジタルサンプルのそれぞれのタップ重みの積を加算することと、
前記ＦＩＲフィルタからシフトアウトされる最後のディジタルサンプルのそれぞれのタップ重みの積を減算することと、
前記２相変調信号の前記プリアンブルの論理遷移に関連するそれぞれのフィルタタップにシフトされるディジタルサンプルのそれぞれのタップ重みの積を、加算することもしくは除算することのどちらか一方と、
による、システム。
【請求項９】
請求項７に記載のシステムであって、
前記プリアンブル検出器が、前記ディジタルフィルタの前記出力を閾値と比較するよう構成されるプリアンブル比較器を更に含み、前記ディジタルフィルタの前記出力が前記閾値よりも大きいと前記プリアンブル比較器が判定することに応じて前記２相変調信号の前記プリアンブルの前記期間が検出され、前記プリアンブル検出器が、前記ディジタルサンプルの振幅に基づいて移動平均を有するような閾値を生成するように構成される閾値生成器を更に含む、システム。
【請求項１０】
請求項７の前記２相通信レシーバシステムを含む無線電力システムであって、
１次インダクタに関連する１次電流を監視するよう構成されるレシーバを含む無線充電器であって、前記レシーバが請求項７の前記２相通信レシーバシステムを含む、前記無線充電器と、
前記２相通信信号を、２次インダクタに関連する２次電流に変調するよう構成されるトランスミッタを含むポータブル電子デバイスであって、前記１次インダクタと前記２次インダクタとが集合的に絶縁トランスフォーマを形成し、前記ポータブル電子デバイスにおいて電圧を生成するため、前記絶縁トランスフォーマが前記１次インダクタから前記２次インダクタへエネルギーを伝送するように構成される、前記ポータブル電子デバイスと、
を含む、無線電力システム。
【請求項１１】
２相通信レシーバシステムであって、
２相変調信号のディジタルサンプルを生成するために前記２相変調信号をサンプルするように構成されるアナログ・ディジタルコンバータ（ＡＤＣ）と、
前記ディジタルサンプルに基づいて前記２相変調信号をデコードするように構成される２相信号デコーダと、
出力を生成するために前記ディジタルサンプルを評価するように、かつ、前記出力に基づいて前記２相変調信号をデコードするために前記２相変調信号のプリアンブルを検出するように構成されるディジタルフィルタを含むプリアンブル検出器であって、前記ディジタルフィルタが、第１のディジタルフィルタと第２のディジタルフィルタとを含む２段フィルタとして構成され、当該第２のディジタルフィルタが、前記２相変調信号に関連するノイズを実質的に補償するために第１のディジタルフィルタの出力を増幅して更にフィルタリングするように前記第１のディジタルフィルタの前記出力をサンプルするように構成され、前記第１及び第２のディジタルフィルタが有限インパルス応答（ＦＩＲ）フィルタとして構成され、前記第１のディジタルフィルタが、前記２相変調信号の前記プリアンブルの少なくとも１つの期間に関連する値を含む１つのセットのタップ重みを含み、前記第２のディジタルフィルタが、交互の論理遷移の各々でのタップに関連する非ゼロ値と、残りのタップに関連するゼロ値とを含む１つのセットのタップ重みを含む、前記プリアンブル検出器と、
を含む、システム。
【請求項１２】
２相通信レシーバシステムであって、
２相変調信号のディジタルサンプルを生成するために前記２相変調信号をサンプルするように構成されるアナログ・ディジタルコンバータ（ＡＤＣ）と、
前記ディジタルサンプルに基づいて前記２相変調信号をデコードするように構成される２相信号デコーダと、
出力を生成するために前記ディジタルサンプルを評価するように、かつ、前記出力に基づいて前記２相変調信号をデコードするために前記２相変調信号のプリアンブルを検出するように構成されるディジタルフィルタを含むプリアンブル検出器であって、前記ディジタルフィルタの前記出力が、前記２相変調信号の前記プリアンブルの前記期間の、前記ディジタルフィルタに関連する予めプログラムされたフィルタタップとの整合に対応するピーク最大値を有し、前記プリアンブル検出器が、ピーク最大値を検出するように構成され、前記２相通信レシーバシステムと関連するトランスミッタとの間のクロック周波数ミスマッチを検出するために複数の連続したピーク最大値の各々の間のディジタルサンプルをカウントするように構成される、同期コントローラと、検出されたミスマッチに基づいて前記ＡＤＣのサンプリングレートを調節するよう構成されるピーク検出器とを含む、前記プリアンブル検出器と、
を含む、システム。
【請求項１３】
請求項１２に記載のシステムであって、
前記同期コントローラが、前記ＡＤＣの前記サンプリングレートを前記関連するトランスミッタのクロック周波数に収束させるように調節するため、検出されたミスマッチの大きさに比例する前記ＡＤＣの前記サンプリングレートに対する調節量を示す信号を生成するように構成される比例／積分ループコントローラを含む、システム。
【請求項１４】
２相通信レシーバシステムであって、
２相変調信号のディジタルサンプルを生成するために、第１の変調チャンネルと第２の変調チャンネルとを含む前記２相変調信号をサンプルするように構成されるアナログ・ディジタルコンバータ（ＡＤＣ）と、
前記ディジタルサンプルに基づいて前記２相変調信号をデコードするように構成される２相信号デコーダと、
出力を生成するために前記ディジタルサンプルを評価するように、かつ、前記出力に基づいて前記２相変調信号をデコードするために前記２相変調信号のプリアンブルを検出するように構成されるディジタルフィルタを含むプリアンブル検出器と、
第１及び第２の２相変調チャンネルの相対的な信号振幅に基づいて前記２相信号デコーダによりデコードするため、前記第１及び第２の２相変調チャンネルの一方を選択するように構成されるチャンネル選択コントローラであって、前記選択に応答して前記第１及び第２の２相変調チャンネルの他方を放棄するように構成される、前記チャンネル選択コントローラと、
を含む、システム。
【請求項１５】
請求項１４に記載のシステムであって、
前記プリアンブル検出器が前記チャンネル選択コントローラを含み、
前記ディジタルフィルタが、前記第１の２相変調チャンネルに関連する第１のディジタルフィルタと、前記第２の２相変調チャンネルに関連する第２のディジタルフィルタとを含み、
前記チャンネル選択コントローラが、前記第１及び第２の２相変調チャンネルの１つを選択するために、前記第１のディジタルフィルタの出力を前記第２のディジタルフィルタの出力と比較するよう構成されるチャンネル比較器を含む、システム。
【請求項１６】
請求項１５に記載のシステムであって、
前記プリアンブル検出器が、前記２相変調信号に関連するノイズを実質的に補償するために前記第１及び第２のディジタルフィルタの少なくとも１つの出力を増幅して更にフィルタリングするように前記第１及び第２のディジタルフィルタの少なくとも１つの出力をサンプルするよう構成される少なくとも１つのディジタルフィルタを含む、システム。
【請求項１７】
２相通信レシーバシステムであって、
２相変調信号に関連する第１の２相変調チャンネルと第２の２相変調チャンネルとの振幅を比較するよう構成されるチャンネル選択コントローラであって、前記チャンネル選択コントローラが、処理のために前記第１及び第２の２相変調チャンネルの一方を選択するように、及び、前記第１及び第２の２相変調チャンネルの相対的な振幅に基づいて前記第１及び第２の２相変調チャンネルの他方を放棄するように更に構成される、前記チャンネル選択コントローラと、
前記選択された２相変調チャンネルのプリアンブルを検出するよう構成されるプリアンブル検出器と、
前記選択された２相変調チャンネルをデコードするよう構成される２相信号デコーダと、
を含む、２相通信レシーバシステム。
【請求項１８】
２相通信レシーバシステムであって、
２相変調信号のディジタルサンプルを生成するために前記２相変調信号をサンプルするように構成されるアナログ・ディジタルコンバータ（ＡＤＣ）と、
前記ディジタルサンプルに基づいて前記２相変調信号をデコードするように構成される２相信号デコーダと、
予めプログラムされたタップ重みを有するフィルタタップを含む有限インパルス応答（ＦＩＲ）フィルタを含むプリアンブル検出器であって、前記フィルタタップを用いて、前記２相変調信号のプリアンブルの期間の、前記フィルタタップへの整合に対応するピーク最大値を有する出力を生成するように前記ディジタルサンプルが評価される、前記プリアンブル検出器と、
前記ピーク最大値に基づいて前記２相通信レシーバシステムと関連するトランスミッタとの間のクロック周波数ミスマッチを検出するように構成され、前記２相通信レシーバシステムと関連するトランスミッタとの間のクロック周波数ミスマッチを実質的に補償するために前記検出されたミスマッチに基づいて前記ＡＤＣのサンプリングレートを調節するように構成される、同期コントローラと、
を含み、
前記ＦＩＲフィルタが、第１のＦＩＲフィルタと第２のＦＩＲフィルタとを含む２段フィルタとして構成され、前記第２のＦＩＲフィルタが、前記２相変調信号に関連するノイズを実質的に補償するために第１のＦＩＲフィルタの出力を増幅して更にフィルタリングするように前記第１のＦＩＲフィルタの前記出力をサンプルするように構成され、前記同期コントローラが、前記第２のＦＩＲフィルタに関連する前記ピーク最大値に基づいて前記クロック周波数ミスマッチを検出するように構成される、２相通信レシーバシステム。